(57)【要約】【課題】モノラルマイクを用い、録音モードの設定を変更するだけでステレオ録音またはモノラル録音を選択的に行うことができる音声記録装置を提供する。【解決手段】内蔵マイク１および／または外部マイクから入力される音声信号を音声データに変換して記録する音声記録装置１００において、音声記録モードをステレオまたはモノラルモードに設定する操作スイッチ群２１と、外部マイクの接続の有無を検出する、マイクジャック端子２の接続検出端子２Ｄと、操作スイッチ群２１のモード設定および接続検出端子２Ｄの検出結果に基づいて内蔵マイク１または外部マイクのうち少なくとも一方を選択するＣＰＵ１７と、ＣＰＵ１７により選択された内蔵マイク１および／または外部マイクから入力される音声信号を記録するメモリカード１８と、を具備することを特徴とする。【選択図】  図１
2004347998.tif 000002
【特許請求の範囲】
【請求項１】
第１の音声入力手段および／または第２の音声入力手段から入力される音声信号を音声データに変換して記録する音声記録装置において、
上記記録の際の記録モードを、ステレオモードまたはモノラルモードに設定する設定手段と、
上記第２の音声入力手段に外部入力装置が接続されているか否かを検出する検出手段と、
上記設定手段のモード設定および上記検出手段の検出結果に基づいて、上記第１の音声入力手段または上記第２の音声入力手段のうち少なくとも一方を選択する選択手段と、
上記選択手段により選択された上記第１の音声入力手段および／または上記第２の音声入力手段から入力される音声信号を音声データに変換して記録する記録手段と、
を具備したことを特徴とする音声記録装置。
【請求項２】
上記第１の音声入力手段は、該音声記録装置に内蔵されているマイクであり、上記第２の音声入力手段は、外部入力装置である外部マイクを接続可能な該音声記録装置の外部入力端子であることを特徴とする請求項１に記載の音声記録装置。
【請求項３】
上記選択手段は、上記検出手段により上記第２の音声入力手段に上記外部入力装置が接続されていることが検出され、かつ上記設定手段により上記記録モードがステレオモードに設定されていた場合には、上記第１の音声入力手段と上記第２の音声入力手段の両方を選択することを特徴とする請求項１に記載の音声記録装置。
【請求項４】
上記記録手段は、上記第１の音声入力手段からの入力を一方のチャンネルとし、上記第２の音声入力手段からの入力をもう一方のチャンネルとしてステレオ記録を行うことを特徴とする請求項３に記載の音声記録装置。
【請求項５】
上記検出手段はさらに、上記第２の音声入力手段にステレオマイクが接続されているか否かを検出することが可能であり、
上記選択手段は、上記検出手段により上記第２の音声入力手段にステレオマイクが接続されていることが検出された場合には、上記設定手段のモード設定にかかわらず上記第２の音声入力手段を選択し、
上記記録手段は、上記第２の音声入力手段からの入力を用いて音声データをステレオ記録することを特徴とする請求項３に記載の音声記録装置。
【請求項６】
上記選択手段により上記第１の音声入力手段および上記第２の音声入力手段の両方が選択された場合には、上記第１の音声入力手段からの入力と上記第２の音声入力手段からの入力とのレベルの差を補正する補正手段をさらに具備することを特徴とする請求項３に記載の音声記録装置。
【発明の詳細な説明】
【０００１】
【発明の属する技術分野】
本発明は、音声記録装置、詳しくは、記録モードをステレオモードまたはモノラルモードに切り替えることができる音声記録装置に関する。
【０００２】
【従来の技術】
周知のように、マイクロフォン等により得られる音声信号をデジタル信号に変換した後、書き換え可能な、例えば半導体メモリ等の記録媒体に記録し、再生時に該記録媒体に記録された音声データをアナログ信号に変換してスピーカ等より音声として出力する携帯型の音声記録装置（以下、ＩＣレコーダと称す）が実用化されている。
【０００３】
上記ＩＣレコーダの特徴としては、たとえば、記録動作モードを選択したときには、予め上記記録媒体に設けられた音声データ領域およびインデックス情報領域に、デジタル信号に変換された音声データ、および該音声データに関するインデックス情報（音声データのアドレス、録音日時等）を記録するようになっていることである。
【０００４】
ところで、ＩＣレコーダにおいては、会議等の臨場感が求められる場合には、ステレオ録音が、またインタビュー等の口述録音を行う場合には、モノラル録音が、使用者によりそれぞれ選択できることが要求されており、このようなＩＣレコーダは、例えば特許文献１に提案されている。
【０００５】
特許文献１に提案されたＩＣレコーダでは、該ＩＣレコーダに配設されているマイクジャック端子に挿入（接続）されたマイクのプラグの種類を判別し、挿入されたマイクプラグがステレオマイクであればステレオ録音モードに、また、挿入されたマイクプラグがモノラルマイク、またはマイクプラグが挿入されていなければ、モノラル録音モードに自動的にＩＣレコーダを設定するようになっている。よって、使用者は録音モードを手動で設定しなくても良いため、大変便利である。
【０００６】
【特許文献１】
特開平８−２９３１５９号公報
【０００７】
【発明が解決しようとする課題】
しかしながら、上記特許文献１に提案されたＩＣレコーダでは、ステレオ録音を行うには、使用者は別途ステレオマイクを用意する必要がある。よって、録音感度向上のため、モノラルマイクも用意すると、使用者は常に２つのマイクを携帯しなければならず、大変煩わしいものとなっていた。
【０００８】
本発明は、上記事情に鑑みてなされたものであり、その目的は、モノラルマイクを用い、記録モードの設定を変更するだけでステレオ録音またはモノラル録音を選択的に行うことができる音声記録装置を提供するにある。
【０００９】
【課題を解決するための手段、及び作用】
上記の目的を達成するために本発明による音声記録装置は、第１の音声入力手段および／または第２の音声入力手段から入力される音声信号を音声データに変換して記録する音声記録装置において、上記記録の際の記録モードを、ステレオモードまたはモノラルモードに設定する設定手段と、上記第２の音声入力手段に外部入力装置が接続されているか否かを検出する検出手段と、上記設定手段のモード設定および上記検出手段の検出結果に基づいて、上記第１の音声入力手段または上記第２の音声入力手段のうち少なくとも一方を選択する選択手段と、上記選択手段により選択された上記第１の音声入力手段および／または上記第２の音声入力手段から入力される音声信号を音声データに変換して記録する記録手段と、を具備したことを特徴とする。
【００１０】
また、上記第１の音声入力手段は、該音声記録装置に内蔵されているマイクであり、上記第２の音声入力手段は、外部入力装置である外部マイクを接続可能な該音声記録装置の外部入力端子であることを特徴とする。
【００１１】
さらに、上記選択手段は、上記検出手段により上記第２の音声入力手段に上記外部入力装置が接続されていることが検出され、かつ上記設定手段により上記記録モードがステレオモードに設定されていた場合には、上記第１の音声入力手段と上記第２の音声入力手段の両方を選択することを特徴とする。
【００１２】
また、上記記録手段は、上記第１の音声入力手段からの入力を一方のチャンネルとし、上記第２の音声入力手段からの入力をもう一方のチャンネルとしてステレオ記録を行うことを特徴とする。
【００１３】
さらに、上記検出手段はさらに、上記第２の音声入力手段にステレオマイクが接続されているか否かを検出することが可能であり、上記選択手段は、上記検出手段により上記第２の音声入力手段にステレオマイクが接続されていることが検出された場合には、上記設定手段のモード設定にかかわらず上記第２の音声入力手段を選択し、上記記録手段は、上記第２の音声入力手段からの入力を用いて音声データをステレオ記録することを特徴とする。
【００１４】
また、上記選択手段により上記第１の音声入力手段および上記第２の音声入力手段の両方が選択された場合には、上記第１の音声入力手段からの入力と上記第２の音声入力手段からの入力とのレベルの差を補正する補正手段をさらに具備することを特徴とする。
【００１５】
【発明の実施の形態】
以下、本発明の実施の形態を図示の例によって説明する。
尚、本実施の形態においては、音声記録装置は、ＩＣレコーダを例に挙げて説明する。
図１は、本発明の一実施の形態を示すＩＣレコーダの電気回路の構成を示したブロック図である。
【００１６】
図１に示すように、ＩＣレコーダ１００は、音声を電気信号に変換する第１の音声入力手段である内蔵マイクロフォン（以下、内蔵マイクと称す）１と、外部入力端子として外部マイク等の外部入力装置から音声信号の入力を受ける第２の音声入力手段であるマイクジャック端子２と、Ｌ（左）チャンネル切換スイッチ３と、Ｒ（右）チャンネル切換スイッチ４と、ＦＥＴ（Ｆｉｅｌｄ  Ｅｆｆｅｃｔ  Ｔｒａｎｓｉｓｔｏｒ）５と、プリアンプ６，７と、入力切換スイッチ８と、入力アンプ９ａ，９ｂ、Ａ／Ｄコンバータ９ｃ，９ｄ、デジタルフィルタ９ｅ、Ｄ／Ａコンバータ９ｆ，９ｇ、出力アンプ９ｈ，９ｉからなるステレオコーデック９と、出力切換スイッチ３１，３２と、ヘッドホンアンプ１１，１２と、Ｌチャンネル端子１４Ｌ，Ｒチャンネル端子１４Ｒ，ＧＮＤ端子１４Ｇ，接続検出端子１４Ｄを有するヘッドホン端子１４と、スピーカアンプ１３と、スピーカ１５と、ＤＳＰ１６と、ＭＩＣ＿ＰＷＲポート，ＲｃｈＡ／Ｄポート，ＭＩＣ＿ＤＥＴポート，ＥＡＲ＿ＤＥＴポートを有するＣＰＵ１７と、メモリカード１８と、表示駆動回路１９と、表示部２０と、操作スイッチ群２１と、電源回路２２と、内蔵メモリ２３とで主要部が構成されている。
【００１７】
マイクジャック端子２は、Ｌ（左）チャンネル端子２Ｌ，Ｒ（右）チャンネル端子２Ｒ，ＧＮＤ端子２Ｇ，後述する外部マイク（モノラルマイク／ステレオマイク）が接続されているか否かを検出する検出手段である接続検出端子２Ｄを有し、Ｒチャンネル端子２Ｒの出力端は、抵抗Ｒ２を介して電源Ｖｃｃに接続されると共に、ＣＰＵ１７のＲｃｈＡ／ＤポートおよびＲチャンネル切換スイッチ４の入力端に接続されており、Ｌチャンネル端子２Ｌの出力端は、Ｌチャンネル切換スイッチ３の入力端に接続されている。
【００１８】
接続検出端子２Ｄの出力端は、抵抗Ｒ１を介して電源Ｖｃｃに接続されると共に、ＣＰＵ１７のＭＩＣ＿ＤＥＴポートに接続されており、ＧＮＤ端子２ＧはＧＮＤ（アース）に接続されている。
【００１９】
Ｌチャンネル切換スイッチ３の出力端は、プリアンプ６の入力端に接続されており、Ｒチャンネル切換スイッチ４の出力端は、プリアンプ７の入力端に接続されている。また、内蔵マイク１の正極はプリアンプ７の入力端に接続されており、負極はＦＥＴ５のドレインに接続されている。また、ＦＥＴ５のゲートは、ＣＰＵ１７のＭＩＣ＿ＰＷＲポートに接続されている。
【００２０】
よって、音声の入力を内蔵マイク１とマイクジャック端子２のいずれを使用するかは、Ｌチャンネル切換スイッチ３、Ｒチャンネル切換スイッチ４およびＦＥＴ５によって切換可能となっている。尚、Ｌチャンネル切換スイッチ３、Ｒチャンネル切換スイッチ４およびＦＥＴ５は選択手段を構成している。
【００２１】
プリアンプ６の出力端は、入力切換スイッチスイッチ８の一方の固定端子８ａに接続されており、プリアンプ７の出力端は、入力切換スイッチ８の他方の固定端子８ｂおよび入力アンプ９ｂの入力端に接続されており、入力切換スイッチスイッチ８の切換端子８ｃは、プリアンプ９ａの入力端に接続されている。
【００２２】
よって、プリアンプ６，７の出力は、入力切換スイッチ８の切換接片の切換によって選択的にステレオコーデック９内の入力アンプ９ａ、９ｂの入力端に入力される。詳しくは、入力切換スイッチ８は、内蔵マイク１からの出力の場合にはプリアンプ７側（固定端子８ｂ）に、外部マイクからの出力の場合にはプリアンプ６側（固定端子８ａ）に切換えられる。尚、入力切換スイッチ８も、選択手段を構成している。
【００２３】
該入力アンプ９ａ、９ｂの出力端は、入力された音声信号をデジタル信号に変換するＡ／Ｄコンバータ９ｃ，９ｄの入力端にそれぞれ接続されており、該Ａ／Ｄコンバータ９ｃ，９ｄの出力端は、デジタルフィルタ９ｅの入力端に接続されている。そして、このデジタルフィルタ９ｅの出力端は、デジタル信号データをアナログオーディオデータに変換するＤ／Ａコンバータ９ｆ，９ｇの入力端にそれぞれ接続されている。
【００２４】
このデジタルフィルタ９ｅは、Ａ／Ｄコンバータ９ｃ，９ｄ、およびＤ／Ａコンバータ９ｆ，９ｇで信号変換が行われた際に発生する不要な量子化ノイズ（エリアシングノイズ）を変換後の信号から除去する役目をするものである。
【００２５】
Ｄ／Ａコンバータ９ｆ，９ｇの出力端は、それぞれ出力アンプ９ｈ，９ｉの入力端に接続され、出力アンプ９ｈ，９ｉの出力端は、連動する出力切換スイッチ３１，３２の切換接片端子３１ｃ，３２ｃにそれぞれ接続されている。
【００２６】
上記出力切換スイッチ３１は、切換接片により固定端子３１ａ，３１ｂの何れかに切換えられるようになっており、固定端子３１ａは音声信号を増幅するヘッドホンアンプ１１の入力端に接続され、ヘッドホンアンプ１１の出力端は、音声信号を出力するヘッドホン端子１４のＬチャンネル端子１４Ｌに接続されており、また、固定端子３１ｂはスピーカアンプ１３の入力端に接続され、スピーカアンプ１３の出力端は音声信号を出力するスピーカ１５に接続されている。
【００２７】
一方、上記出力切換スイッチ３２は切換接片により固定端子３２ａ，３２ｂの何れかに切換えられるようになっていて、固定端子３２ａは音声信号を増幅するヘッドホンアンプ１２の入力端に接続され、ヘッドホンアンプ１２の出力端は、ヘッドホン端子１４のＲチャンネル端子１４Ｒに接続されており、また、固定端子３２ｂはスピーカアンプ１３の入力端に接続されている。
【００２８】
尚、上記出力切換スイッチ３１，３２は連動して切換えられるので、切換スイッチ３１が固定端子３１ａに切換えられた場合には切換スイッチ３２は固定端子３２ａに、また切換スイッチ３１が固定端子３１ｂに切換えられた場合には切換スイッチ３２は固定端子３２ｂに切換えられるようになっている。
【００２９】
ヘッドホン端子１４の接続検出端子１４Ｄは、抵抗Ｒ３を介して電源Ｖｃｃに接続されると共に、ＣＰＵ１７のＥＡＲ＿ＤＥＴポートに接続されている。またＬチャンネル端子１４ＬおよびＧＮＤ端子１４Ｇは、ＧＮＤに接続されている。
【００３０】
この接続検出端子１４Ｄは、ヘッドホンプラグが接続されていない状態では、Ｌチャンネル端子１４Ｌと接触しているが、ヘッドホンプラグが接続されることにより離間するように形成されている。これにより接続検出端子１４Ｄにヘッドホンプラグが接続されていない状態では、ＣＰＵ１７のＥＡＲ＿ＤＥＴポートはＬ（ロー）レベルを検出し、プラグが接続されている状態では、ＥＡＲ＿ＤＥＴ端子は、Ｈ（ハイ）レベルを検出する。よって、ＥＡＲ＿ＤＥＴポートの状態により出力切換スイッチ３１，３２の切換えを行っている。
【００３１】
また、ステレオコーデック９は、ＤＳＰ（Ｄｉｇｉｔａｌ  Ｓｉｇｎａｌ  Ｐｒｏｃｅｓｓｏｒ）１６に接続され、ＤＳＰ１６にはＣＰＵ１７が接続されている。
【００３２】
ＣＰＵ１７は本装置全体の制御を行うものであって、このＣＰＵ１７には、ＤＳＰ１６以外に、メモリカード１８、表示駆動回路１９を介して表示部２０、操作スイッチ群２１、本ＩＣレコーダを駆動するための電力を供給する回路である電源回路２２、内蔵メモリ２３がそれぞれ接続されている。尚、ＣＰＵ１７は、マイクジャック端子２に外部マイク（モノラルマイク／ステレオマイク）が接続されているか否かを検出する検出手段、操作スイッチ群２１による録音モード設定およびマイクジャック端子２からの外部マイクの接続の有無に基づいて内蔵マイク１またはマイクジャック端子２のうち少なくとも一方を選択する選択手段を構成している。
【００３３】
ＤＳＰ１６は、ＣＰＵ１７に制御され、録音時には、Ａ／Ｄコンバータ９ｃ，９ｄでデジタル信号に変換された音声信号を、例えばフレーム単位で一定のフォーマットのデータに、例えばＷｉｎｄｏｗｓ  Ｍｅｄｉａ  Ａｕｄｉｏ（登録商標）方式（以下、ＷＭＡ方式と称し、その符号化データファイルをＷＭＡファイルと称す）、またはＤｉｇｉｔａｌ  Ｓｐｅｅｃｈ  Ｓｔａｎｄａｒｄ方式（以下、ＤＳＳ方式と称し、その符号化データファイルをＤＳＳファイルと称す）といった方式で圧縮変換（以下、符号化と称す）する。さらに選択された録音モードによりモノラルおよびステレオでの符号化を行うことができるようになっている。そして、その符号化された音声データは、一時的にメモリカード１８に符号化データファイルとして記録される。
【００３４】
一方、再生時にはＤＳＰ１６は、ＣＰＵ１７に制御され、メモリカード１８内に記録されている符号化データファイルを、上述したＷＭＡ方式、またはＤＳＳ方式で伸長変換（以下、復号化と称す）する処理を行う。このように符号化されたデータの復号化を行い、この復号化されたデジタル信号は、Ｄ／Ａコンバータ９ｆまたは９ｇに対して出力される。
【００３５】
また、詳しくは後述するが、ＤＳＰ１６には、内蔵マイク１と外部マイクとで生じる入力感度差を補正するための補正値が登録されており、ステレオ録音の際に、ＤＳＰ１６は両マイクの感度差の補正を行う。よって、ＤＳＰ１６は、内蔵マイク１とマイクジャック端子２からの入力とのレベル差を補正する補正手段を構成している。
【００３６】
メモリカード１８は、上述したように、内蔵マイク１および／またはマイクジャック端子２から入力される音声信号を音声データに変換して記録する記録手段を構成しており、内蔵マイク１からの入力を一方のチャンネルとし、マイクジャック端子２からの入力をもう一方のチャンネルとしてステレオ記録を行う。また、マイクジャック端子２からの入力を用いて音声データをステレオ記録することができ、さらに、モノラル録音の場合はモノラル記録を行う。
【００３７】
表示部２０は、表示駆動回路１９の制御の下、操作スイッチ群２１のいずれかのスイッチ操作により、所定のシーケンスを開始したときの本ＩＣレコーダの動作モード、またはその後の動作状況を表示するものであり、例えば操作スイッチ群２１の図示しない録音釦を操作した際に行われる録音の場合では、残り録音時間の表示を行う。
【００３８】
操作スイッチ群２１は、本ＩＣレコーダの外装に設けられていて、各種機能を制御するための操作スイッチであり、例えば録音釦、再生釦、停止釦、ステレオ録音またはモノラル録音の選択等各種設定を行うメニュー釦から構成されている。尚、これに限らず、早送り釦、早戻し釦等の各種設定釦が配設されていてもよい。このように、操作スイッチ群２１は、音声記録の際に記録モードをステレオモードまたはモノラルモードに設定する設定手段を構成している。
【００３９】
内蔵メモリ２３は、書き換え可能な不揮発性メモリ（以下、ＥＥＰＲＯＭと称す）、例えばフラッシュメモリ等で構成されており、例えばユーザーＩＤ、録音モードの選択設定、ＢＥＥＰ音の選択設定等のメニュー設定、ＣＰＵ１７に電源が供給されなくなっても記憶しておきたい各種設定、パラメータ、およびＤＳＰ１６の各符号化プログラム等が記憶される。尚、内蔵メモリ２３は、書き換え可能なＥＥＰＲＯＭに限定されず、上述した各種設定条件が記憶、保管できるものであれば、どのようなものであってもよい。
【００４０】
図２，図３は、図１のＩＣレコーダのマイクジャック端子２に接続されるステレオマイクのプラグ、およびモノラルマイクのプラグをそれぞれ示したものである。
【００４１】
図２に示すように、ステレオマイクプラグ４０は、プラグの先端からＬチャンネル信号部、Ｒチャンネル信号部、ＧＮＤ部が基端に向かって連続的に配設されており、また、図３に示すモノラルマイクプラグ５０は、プラグの先端からＬチャンネル信号部、ＧＮＤ部が基端に向かって連続的に配設されている。
【００４２】
マイクジャック端子２は、何も接続されていない状態では、接続検出端子２Ｄがハイレベルとなり、外部マイク（ステレオマイク／モノラルマイク）が接続された状態では、マイクプラグのＧＮＤ部によって短絡されるためローレベルとなる。この接続検出端子２Ｄのレベルにより、ＣＰＵ１７は、外部マイクの接続状態を検出している。
【００４３】
また、図３に示すモノラルマイクプラグ５０がマイクジャック端子２に接続された状態では、マイクジャック端子２のＲチャンネル端子２ＲがＧＮＤ部によって短絡され、ステレオマイクプラグ４０が接続された状態では、Ｒチャンネル端子２ＲがＭＩＣのレベルになる。これをＣＰＵ１７のＲｃｈＡ／ＤポートでＡ／Ｄ変換を行うことにより、ＣＰＵ１７は、マイクジャック端子２に接続されたマイクプラグがモノラルマイクプラグ５０かステレオマイクプラグ４０かを判定する。
【００４４】
マイクジャック端子２にマイクプラグ（外部マイク）が接続されていない状態では、Ｌチャンネル切換スイッチ３、Ｒチャンネル切換スイッチ４は共に開放されていて、ＣＰＵ１７のＭＩＣ＿ＰＷＲ端子は、ハイレベルを検出することにより内蔵マイク１がオンとなる。これにより、入力切換スイッチ８の切換接片は、固定端子８ｂに切換わり、内蔵マイク１からの信号がプリアンプ７に入力される。
【００４５】
また、マイクジャック端子２にステレオマイクプラグ４０が接続されている状態では、Ｌチャンネル切換スイッチ３、Ｒチャンネル切換スイッチ４は接続され、内蔵マイク１はオフとなり、入力切換スイッチ８の切換接片は、固定端子８ａに切換わり、ステレオマイクからの信号がプリアンプ６，７に入力される。よって、ステレオマイクプラグ４０が接続されている状態では、設定する録音モードにかかわらずステレオ録音が実行される。
【００４６】
一方、マイクジャック端子２にモノラルマイクプラグ５０が接続されている状態では、操作スイッチ群２１の図示しないメニュー釦で設定された録音モードに応じてプリアンプ６、７に入力される信号が選択される。
【００４７】
詳しくは、ステレオ録音モードが選択されておれば、Ｌチャンネル切換スイッチ３が接続され、Ｒチャンネル切換スイッチ４は切断され、内蔵マイク１はオンされて、入力切換スイッチ８の切換接片は、固定端子８ａに切換わり、モノラルマイクからの信号がプリアンプ６に、内蔵マイク１からの信号がプリアンプ７にそれぞれ入力される。
【００４８】
また、モノラル録音モードが選択されていれば、Ｌチャンネル切換スイッチ３、Ｒチャンネル切換スイッチ４は接続され、内蔵マイク１はオフされ、入力切換スイッチ８の切換接片は、固定端子８ａに切換わる。これによりモノラルマイクからの信号がプリアンプ６、７に入力される。
【００４９】
図４は、上記一実施の形態を示すＩＣレコーダ１００の録音開始処理の概略を示したフローチャートである。
【００５０】
操作スイッチ群２１（図１参照）中の録音釦が押され、録音開始処理に移ると、まずステップＳ２０１では、上述したように、ＣＰＵ１７は、ＭＩＣ＿ＤＥＴポートを用いて接続検出端子２Ｄからマイクジャックにマイクプラグ（外部マイク）が接続されているか否かのマイクジャック端子２の検出を行い、ステップＳ２０２に移行する。
【００５１】
次に、ステップＳ２０２では、ステップＳ２０１の検出により、マイクジャック端子２に外部マイクが接続されているか否かの判定が行われる。マイクジャック端子２に外部マイクが接続されておればステップＳ２０３に移行し、外部マイクが接続されていなければ、ステップＳ２０８に分岐し、該ステップＳ２０８で、Ｌチャンネルスイッチ３およびＲチャンネルスイッチ４をオフにして、内蔵マイク１をオンに設定をし、内蔵マイクでモノラル録音を開始する。
【００５２】
ステップＳ２０３では、ＣＰＵ１７は、Ｒｃｈ＿Ａ／ＤポートおよびＲチャンネル端子２Ｒを用いて、マイクジャック端子２に接続された外部マイクが、モノラルマイクのプラグかステレオマイクのプラグかの判定を行う。モノラルマイクのプラグであれば、ステップＳ２０４に移行し、ステレオマイクのプラグであれば、ステップＳ２０７に分岐して、Ｌチャンネルスイッチ３およびＲチャンネルスイッチ４をオンにして、内蔵マイク１をオフに設定し、ステレオマイクでステレオ録音を開始する。
【００５３】
ステップＳ２０４では、使用者が操作スイッチ群２１（図１参照）中のメニュー釦で決定した録音モードの判定が行われる。録音モードがステレオ録音モードであれば、ステップＳ２０５に移行して、Ｌチャンネルスイッチ３をオンに、Ｒチャンネルスイッチ４をオフに、内蔵マイク１をオンに設定し、ステレオマイクおよび内蔵マイクでステレオ録音を開始する。
【００５４】
ステップＳ２０４で録音モードがモノラル録音モードであれば、ステップＳ２０６に分岐して、Ｌチャンネルスイッチ３およびＲチャンネルスイッチ４をオンにして、内蔵マイク１をオフに設定し、モノラルマイクでモノラル録音を開始する。
【００５５】
よって、マイクジャック端子２に接続される外部マイクの種類、および操作スイッチ群２１のメニュー釦により設定する録音モードで決定するＩＣレコーダ１００の録音モードをまとめると、図５に示すようになる。
【００５６】
次に、本発明の一実施の形態を示すＩＣレコーダ１００におけるマイクジャック端子２にモノラルマイクが接続された際の、図４のステップＳ２０５のステレオ録音処理を図６を用いて説明する。
【００５７】
本実施の形態においては、内蔵マイク１と外部マイク（モノラルマイク）を用いてステレオ録音を行うことが可能であるが、内蔵マイク１と外部マイクとでは、それぞれのマイクで感度差が生じるといった問題がある。そこで、あらかじめキャリブレーション録音を行い、補正値を登録しておくことによって、ステレオ録音の際に、ＤＳＰ１６で感度差の補正を行うことができる。
【００５８】
キャリブレーション処理が開始されると、まずステップＳ１０１でマイクジャック端子２の検出が行われて、ステップＳ１０２に移行し、該ステップＳ１０２では、マイクジャック端子２に外部マイクが接続されているかどうかの判定が上述した手法により行われる。マイクジャック端子２に外部マイクが接続されておればステップＳ１０３へ移行し、接続されていなければＳ１１０に分岐する。
【００５９】
ステップＳ１０３では、外部マイクがステレオマイクかモノラルマイクかの判定が上述した手法により行われる。外部マイクがモノラルマイクであれば、ステップＳ１０４に移行し、ステレオマイクであれば、ステップＳ１１０に分岐する。
【００６０】
ステップＳ１０４では、録音モードの判定が上述した手法により行われ、録音モードがステレオ録音モードであれば、ステップＳ１０５に移行し、モノラル録音モードであれば、ステップＳ１１０に分岐する。
【００６１】
ステップＳ１０５では、Ｌチャンネルスイッチ３をオンに、Ｒチャンネルスイッチ４をオフに、内蔵マイク１のオン設定を行ってステレオ録音モードにしてステップＳ１０６に移行し、ステップＳ１０６では、ステレオマイクおよび内蔵マイク１でキャリブレーション録音を開始してステップＳ１０７に移行する。
【００６２】
ステップＳ１０７では、ＤＳＰ１６で内蔵マイク１と外部モノラルマイクとの感度差の計算を行い、ステップＳ１０８に移行する。尚、ここで入力された音声は感度計算のみに使用され、メモリカード１８に記録されることはない。
【００６３】
ステップＳ１０８では、あらかじめ定めた所定時間（録音停止時間）を経過するか、操作スイッチ群２１（図１参照）中の停止釦が押されるまでキャリブレーション録音を実行する。キャリブレーション録音終了後、ステップＳ１０９に移行し、該ステップＳ１０９では、ＤＳＰ１６で計算した内蔵マイク１と外部モノラルマイクの感度差の補正値を内蔵メモリ２３に設定して、キャリブレーション録音を終了する。
【００６４】
ステップＳ１１０では、ステップＳ１０２でマイクジャック端子２に外部マイクが接続されてなかった場合、およびステップＳ１０３で外部マイクがステレオマイクであった場合、またステップＳ１０４で設定した録音モードがモノラル録音モードであった場合には、表示部２０（図１参照）にエラー表示を行い、キャリブレーション録音を終了する。これは、本フローチャートは、キャリブレーション録音を示したため、ステップＳ１１０では、エラー表示を行ったが、実際は、図４で上述したステップＳ２０６〜ステップＳ２０８に示した処理がそれぞれ行われる。
【００６５】
また、本実施の形態では、キャリブレーション録音を、ＤＳＰ１６で補正値を算出して行っているが、同じ感度のマイクを用いれば、キャリブレーション処理を行わなくても良いことは勿論である。
【００６６】
また、例えば工場出荷時に予め上述の補正値を算出して内蔵メモリ２３等に記憶しておき、実際の録音の際にはこの補正値を使用する等の手法を用いることも可能である。
【００６７】
このように、本発明の一実施の形態を示すＩＣレコーダにおいては、マイクジャック端子２にモノラルマイクが接続された場合でも、操作スイッチ群２１中のメニュー釦により、録音モードをステレオ録音モードに設定すれば、ＤＳＰ１６により、モノラルマイクと内蔵マイク１で生じる感度差を補正することができるため、キャリブレーション録音により、ステレオ録音を行うことができる。よって、使用者は、ステレオマイクを所持しなくとも、モノラルマイクのみでステレオ録音を行うことができる。
【００６８】
尚、本実施の形態においては、音声記録装置は、ＩＣレコーダを例に挙げて説明したが、これに限らず、例えばビデオカメラ、ＭＤプレーヤ等の他の録音機能を有する機器に適用しても本実施の形態と同様の効果が得られることは云うまでもない。
【００６９】
【発明の効果】
以上、説明したように本発明によれば、モノラルマイクを用い、録音モードの設定を変更するだけでステレオ録音またはモノラル録音を選択的に行うことができる音声記録装置を提供することができる。
【図面の簡単な説明】
【図１】本発明の一実施の形態を示すＩＣレコーダの電気回路の構成を示したブロック図、
【図２】図１のＩＣレコーダのマイクジャック端子に接続されるステレオマイクプラグを示した正面図、
【図３】図１のＩＣレコーダのマイクジャック端子に接続されるモノラルマイクプラグを示した正面図、
【図４】本発明の一実施の形態を示すＩＣレコーダの録音開始処理の概略を示したフローチャート、
【図５】図１のマイクジャック端子に接続される外部マイクと、メニュー釦で設定する録音モードとで決定するＩＣレコーダの録音モードを示す図表、
【図６】図４の録音処理において、モノラルマイクを用いたキャリブレーション録音処理の概略を示したフローチャート。
【符号の説明】
１…内蔵マイクロフォン（第１の音声入力手段）
２…マイクジャック端子（第２の音声入力手段）
２Ｄ…接続検出端子（検出手段）
３…Ｌチャンネル切換スイッチ（選択手段）
４…Ｒチャンネル切換スイッチ（選択手段）
５…ＦＥＴ（選択手段）
８…入力切換スイッチ（選択手段）
１６…ＤＳＰ（補正手段）
１７…ＣＰＵ（検出手段）（選択手段）
１８…メモリカード（記録手段）
２１…操作スイッチ群（設定手段）
１００…音声記録装置
ＭＩＣ＿ＤＥＴポート（検出手段）
【図１】
2004347998.tif 000003
【図２】
2004347998.tif 000004
【図３】
2004347998.tif 000005
【図４】
2004347998.tif 000006
【図５】
2004347998.tif 000007
【図６】
2004347998.tif 000008